(57)【要約】  表示装置は、カメラにより撮影した実写画像上に案内情報を重畳させて表示する。表示装置は、特定手段と、表示制御手段とを備える。特定手段は、撮影位置と、カメラの撮影範囲に存在する建物の位置情報及び家形情報と、案内情報に対応する施設又は道路の位置情報とに基づき、案内情報と実写画像中の建物との重畳部分を特定する。表示制御手段は、重畳部分のうち、案内情報よりも建物が前面に表示されるべき遮蔽部分を除外した案内情報を、実写画像に重畳させて表示する。
2013111302.tif 000002
【特許請求の範囲】
【請求項１】
カメラにより撮影した実写画像上に案内情報を重畳させて表示する表示装置であって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、
前記重畳部分のうち、前記案内情報よりも前記建物が前面に表示されるべき遮蔽部分を除外した前記案内情報を、前記実写画像に重畳させて表示する表示制御手段と、
を有することを特徴とする表示装置。
【請求項２】
前記特定手段は、前記建物を当該建物の位置情報及び家形情報に基づき略透明に描画し、かつ、前記案内情報を前記施設又は道路の位置情報に基づき描画することで、前記重畳部分を特定し、
前記表示制御手段は、略透明に描画された建物と、前記遮蔽部分を除外した前記案内情報とを合わせた合成画像を生成し、当該合成画像を前記実写画像に重畳表示させることを特徴とする請求項１に記載の表示装置。
【請求項３】
前記表示制御手段は、前記合成画像を生成する場合、前記案内情報より先に略透明な建物を描画し、その後、前記重畳部分のうち、前記遮蔽部分以外の部分を対象に、略透明に描画した建物と前記案内情報との色の混合処理を行うことを特徴とする請求項２に記載の表示装置。
【請求項４】
前記表示制御手段は、移動体が走行すべきルートを、前記案内情報として前記実写画像上に重畳させて表示することを特徴とする請求項１乃至３のいずれか一項に記載の表示装置。
【請求項５】
前記表示制御手段は、前記ルートの表示を、当該ルートに対応する道路の上空の位置に上下反転させて表示することを特徴とする請求項４に記載の表示装置。
【請求項６】
前記表示制御手段は、前記実写画像内の施設に対応した位置に、当該施設を示すマークを、前記案内情報として前記実写画像上に重畳させて表示することを特徴とする請求項１乃至５のいずれか一項に記載の表示装置。
【請求項７】
前記表示制御手段は、前記マークのうち、経路案内の目印となる前記実写画像内の施設に対して付されるマークのみについて、前記遮蔽部分を除外して表示することを特徴とする請求項６に記載の表示装置。
【請求項８】
カメラにより撮影した実写画像上に案内情報を重畳させて表示する表示装置であって、
前記実写画像は、第一建物画像と、前記第一建物画像よりも前記カメラから遠方に位置する建物の画像である第二建物画像とを含み、
前記実写画像において前記第一建物画像と前記第二建物画像の間にあるルートを示す前記案内情報を表示する際には、前記案内情報を前記実写画像内において
前記第二建物画像よりも前記カメラ側に表示させ、且つ、前記第一建物画像を前記案内情報の一部を遮って前記カメラ側に表示させることを特徴とする表示制御手段を有することを特徴とする表示装置。
【請求項９】
前記表示制御手段は、前記第一建物画像を前記案内情報に重畳させて表示させることを特徴とする請求項８に記載の表示装置。
【請求項１０】
カメラにより撮影した実写画像上に案内情報を重畳させて表示する表示装置が実行する制御方法であって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定工程と、
前記重畳部分のうち、前記案内情報よりも前記建物が前面に表示されるべき遮蔽部分を除外した前記案内情報を、前記実写画像に重畳させて表示する表示制御工程と、
を有することを特徴とする制御方法。
【請求項１１】
カメラにより撮影した実写画像上に案内情報を重畳させて表示する表示方法であって、
前記実写画像は、第一建物画像と、前記第一建物画像よりも前記カメラから遠方に位置する建物の画像である第二建物画像とを含み、
前記実写画像において前記第一建物画像と前記第二建物画像の間にあるルートを示す前記案内情報を表示する際には、前記案内情報を前記実写画像内において
前記第二建物画像よりも前記カメラ側に表示させ、且つ、前記第一建物画像を前記案内情報の一部を遮って前記カメラ側に表示させることを特徴とする表示制御工程を有することを特徴とする表示方法。
【請求項１２】
カメラにより撮影した実写画像上に案内情報を重畳させて表示する表示装置が実行するプログラムであって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、
前記重畳部分のうち、前記案内情報よりも前記建物が前面に表示されるべき遮蔽部分を除外した前記案内情報を、前記実写画像に重畳させて表示する表示制御手段
として前記表示装置を機能させることを特徴とするプログラム。
【請求項１３】
請求項１２に記載のプログラムを記憶したことを特徴とする記憶媒体。
【発明の詳細な説明】
【技術分野】
【０００１】
本発明は、情報を表示する技術に関する。
【背景技術】
【０００２】
従来から、車両に進行方向を撮影するカメラを設置し、当該カメラから取得された実写画像を用いて案内を行うナビゲーション装置が知られている。例えば、特許文献１には、車両前方の風景画像にナビゲーション情報（案内情報）を重畳表示させる技術が開示されている。
【先行技術文献】
【特許文献】
【０００３】
【特許文献１】特開２００８−０２０２８８号公報
【発明の概要】
【発明が解決しようとする課題】
【０００４】
実写画像に案内ルートなどの案内情報を表すＣＧ（Ｃｏｍｐｕｔｅｒ  Ｇｒａｐｈｉｃｓ）画像を重畳させる場合、実際には建物により遮蔽されて見えない道路等に対応する表示が実写画像に重畳して表示されてしまう。この場合、実写画像にＣＧ画像を重畳させることで奥行き感が失われ、ユーザは、建物とＣＧ画像に対応する道路等との距離感が掴みにくくなるという問題がある。【０００５】
本発明は、上記のような課題を解決するためになされたものであり、実写画像に案内情報を重畳表示させた場合であっても、適切に奥行き感を保つことが可能な表示装置並びにその制御方法及びプログラムを提供することを主な目的とする。
【課題を解決するための手段】
【０００６】
請求項１に記載の発明では、カメラにより撮影した実写画像上に案内情報を重畳させて表示する表示装置であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき遮蔽部分を除外した前記案内情報を、前記実写画像に重畳させて表示する表示制御手段と、を有することを特徴とする。【０００７】
請求項８に記載の発明では、カメラにより撮影した実写画像上に案内情報を重畳させて表示する表示装置であって、前記実写画像は、第一建物画像と、前記第一建物画像よりも前記カメラから遠方に位置する建物の画像である第二建物画像とを含み、前記実写画像において前記第一建物画像と前記第二建物画像の間にあるルートを示す前記案内情報を表示する際には、前記案内情報を前記実写画像内において前記第二建物画像よりも前記カメラ側に表示させ、且つ、前記第一建物画像を前記案内情報の一部を遮って前記カメラ側に表示させることを特徴とする表示制御手段を有することを特徴とする。【０００８】
請求項１０に記載の発明では、カメラにより撮影した実写画像上に案内情報を重畳させて表示する表示装置が実行する制御方法であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定工程と、前記重畳部分のうち、前記案内情報よりも前記建物が前面に表示されるべき遮蔽部分を除外した前記案内情報を、前記実写画像に重畳させて表示する表示制御工程と、を有することを特徴とする。【０００９】
請求項１１に記載の発明では、カメラにより撮影した実写画像上に案内情報を重畳させて表示する表示方法であって、前記実写画像は、第一建物画像と、前記第一建物画像よりも前記カメラから遠方に位置する建物の画像である第二建物画像とを含み、前記実写画像において前記第一建物画像と前記第二建物画像の間にあるルートを示す前記案内情報を表示する際には、前記案内情報を前記実写画像内において前記第二建物画像よりも前記カメラ側に表示させ、且つ、前記第一建物画像を前記案内情報の一部を遮って前記カメラ側に表示させることを特徴とする表示制御を有することを特徴とする。【００１０】
請求項１２に記載の発明では、カメラにより撮影した実写画像上に案内情報を重畳させて表示する表示装置が実行するプログラムであって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき遮蔽部分を除外した前記案内情報を、前記実写画像に重畳させて表示する表示制御手段として前記表示装置を機能させることを特徴とする。
【図面の簡単な説明】
【００１１】
【図１】ナビゲーション装置の概略構成である。
【図２】本実施例の処理手順を示すフローチャートである。
【図３】（Ａ）カメラが撮影した実写画像の一例である。（Ｂ）実写画像に案内ルートを重畳表示させた例である。
【図４】比較例に係る表示例である。
【図５】変形例に係る表示例である。
【発明を実施するための形態】
【００１２】
本発明の１つの好適な実施形態では、カメラにより撮影した実写画像上に案内情報を重畳させて表示する表示装置であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき部分を除外した前記案内情報を、前記実写画像に重畳させて表示する表示制御手段と、を有する。
【００１３】
上記表示装置は、例えばナビゲーション装置であって、カメラにより撮影した実写画像上に案内情報を重畳させて表示する。表示装置は、特定手段と、表示制御手段とを備える。特定手段は、撮影位置と、カメラの撮影範囲に存在する建物の位置情報及び家形情報と、案内情報に対応する施設又は道路の位置情報とに基づき、案内情報と実写画像中の建物との重畳部分を特定する。表示制御手段は、重畳部分のうち、案内情報よりも建物が前面に表示されるべき遮蔽部分を除外した案内情報を、実写画像に重畳させて表示する。
【００１４】
一般に、実写画像に案内情報を重畳させた際、実際には建物により遮蔽されて見えない道路又は施設に対応する案内情報が実写画像に重畳して表示されると、奥行き感が失われてしまう。以上を勘案し、上述の表示装置は、案内情報のうち、案内情報よりも建物が前面に表示されるべき遮蔽部分を除外して実写画像に重畳表示させる。このようにすることで、表示装置は、実写画像と案内情報とを重畳させた場合であっても、奥行き感を維持することができる。
【００１５】
上記表示装置の一態様では、前記特定手段は、前記建物を当該建物の位置情報及び家形情報に基づき略透明に描画し、かつ、前記案内情報を前記施設又は道路の位置情報に基づき描画することで、前記重畳部分を特定し、前記表示制御手段は、略透明に描画された建物と、前記遮蔽部分を除外した前記案内情報とを合わせた合成画像を生成し、当該合成画像を前記実写画像に重畳表示させる。この態様により、表示装置は、好適に、実写画像と案内情報との重畳部分を特定することができる。また、表示装置は、建物を略透明に描くことで、実写画像に合成画像を重畳表示させた場合であっても、案内情報の遮蔽部分を除外するために描いた建物の表示が残るのを防ぐことができる。
【００１６】
上記表示装置の他の一態様では、前記表示制御手段は、前記合成画像を生成する場合、前記案内情報より先に略透明な建物を描画し、その後、前記重畳部分のうち、前記遮蔽部分以外の部分を対象に、略透明に描画した建物と前記案内情報との色の混合処理を行う。この態様により、表示装置は、好適に、遮蔽部分を除外した案内情報を表した合成画像を生成することができる。
【００１７】
上記表示装置の他の一態様では、前記表示制御手段は、移動体が走行すべきルートを、前記案内情報として前記実写画像上に重畳させて表示する。この態様により、表示装置は、表示すべき案内ルートのち、建物によって遮蔽される部分を好適に非表示とすることができ、実写画像に案内情報を重ねた場合でも奥行き感を維持することができる。
【００１８】
上記表示装置の他の一態様では、前記表示制御手段は、前記ルートの表示を、当該ルートに対応する道路の上空の位置に上下反転させて表示する。この態様によっても、表示装置は、表示すべき案内ルートのち、建物によって遮蔽される部分を好適に非表示とすることができ、実写画像に案内情報を重ねた場合でも奥行き感を維持することができる。
【００１９】
上記表示装置の他の一態様では、前記表示制御手段は、前記実写画像内の施設に対応した位置に、当該施設を示すマークを、前記案内情報として前記実写画像上に重畳させて表示する。この態様により、表示装置は、施設を表すマークであっても、当該施設より手前に存在する建物によって遮蔽される部分を好適に非表示とすることができる。
【００２０】
上記表示装置の他の一態様では、前記表示制御手段は、前記マークのうち、経路案内の目印となる前記実写画像内の施設に対して付されるマークのみについて、前記遮蔽部分を除外して表示する。このようにすることで、ユーザは、運転時に目印となる施設の位置を誤認することなく正確に把握することができる。
【００２１】
本発明の他の好適な実施形態では、カメラにより撮影した実写画像上に案内情報を重畳させて表示する表示装置であって、前記実写画像は、第一建物画像と、前記第一建物画像よりも前記カメラから遠方に位置する建物の画像である第二建物画像とを含み、前記実写画像において前記第一建物画像と前記第二建物画像の間にあるルートを示す前記案内情報を表示する際には、前記案内情報を前記実写画像内において前記第二建物画像よりも前記カメラ側に表示させ、且つ、前記第一建物画像を前記案内情報の一部を遮って前記カメラ側に表示させることを特徴とする。表示装置は、この態様によっても、実写画像と案内情報とを重畳させた場合に、奥行き感を好適に維持することができる。
【００２２】
上記表示装置の一態様では、前記表示制御手段は、前記第一建物画像を前記案内情報に重畳させて表示させる。表示装置は、この態様により、案内情報より前面に第一建物画像を表示することができ、奥行き感を好適に維持することができる。
【００２３】
本発明の他の好適な実施形態では、カメラにより撮影した実写画像上に案内情報を重畳させて表示する表示装置が実行する制御方法であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定工程と、前記重畳部分のうち、前記案内情報よりも前記建物が前面に表示されるべき遮蔽部分を除外した前記案内情報を、前記実写画像に重畳させて表示する表示制御工程と、を有する。表示装置は、この制御方法を使用することで、実写画像と案内情報とを重畳させた場合であっても、奥行き感を好適に維持することができる。
【００２４】
本発明の他の好適な実施形態では、カメラにより撮影した実写画像上に案内情報を重畳させて表示する表示方法であって、前記実写画像は、第一建物画像と、前記第一建物画像よりも前記カメラから遠方に位置する建物の画像である第二建物画像とを含み、前記実写画像において前記第一建物画像と前記第二建物画像の間にあるルートを示す前記案内情報を表示する際には、前記案内情報を前記実写画像内において前記第二建物画像よりも前記カメラ側に表示させ、且つ、前記第一建物画像を前記案内情報の一部を遮って前記カメラ側に表示させることを特徴とする表示制御工程を有する。表示装置は、この制御方法を使用した場合であっても、実写画像と案内情報とを重畳させた場合に、奥行き感を好適に維持することができる。
【００２５】
本発明の他の好適な実施形態では、カメラにより撮影した実写画像上に案内情報を重畳させて表示する表示装置が実行するプログラムであって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき遮蔽部分を除外した前記案内情報を、前記実写画像に重畳させて表示する表示制御手段として前記表示装置を機能させる。表示装置は、このプログラムを実行することで、実写画像と案内情報とを重畳させた場合であっても、奥行き感を好適に維持することができる。好適には、上記プログラムは、記憶媒体に記憶される。
【実施例】
【００２６】
以下、図面を参照して本発明の好適な実施例について説明する。【００２７】
［ナビゲーション装置の構成］
図１は、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、インタフェース３９、表示ユニット４０、音声出力ユニット５０、入力装置６０、及びカメラ６１を備える。ナビゲーション装置１は、車両の運転者に対し、設定された目的地に従い、カメラ６１から取得した実写画像に、目的地に到着するための案内ルートを重畳表示するものとする。【００２８】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００２９】
ＧＰＳ受信機１８は、複数のＧＰＳ衛星から、測位用データを含む下り回線データを搬送する電波１９を受信する。測位用データは、緯度及び経度情報等から車両の絶対的な位置（以後、「現在位置」とも呼ぶ。）を検出するために用いられる。【００３０】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。【００３１】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００３２】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００３３】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。【００３４】
データ記憶ユニット３６は、例えば、ＨＤＤなどにより構成され、地図データなどのナビゲーション処理に用いられる各種データを記憶するユニットである。地図データには、道路データや施設情報が含まれる。施設情報には、各施設の名称や各施設の位置情報に加え、施設が建物である場合に当該建物の形状に関する情報（所謂、家形情報）などが含まれる。家形情報は、例えば、建物の立地範囲や高さなどの情報が含まれる。家形情報は、市街地図などをＣＧ画像により表示するために用いられたり、後述する建物に対する案内ルートの奥行判定にも用いられたりする。【００３５】
通信装置３８は、例えば、ＦＭチューナやビーコンレシーバ、携帯電話や専用の通信カードなどにより構成され、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ、登録商標）センタなどから配信される情報（以下、「ＶＩＣＳ情報」と呼ぶ。）を電波３９より取得する。そしてインタフェース３７は、通信装置３８のインタフェース動作を行い、ＶＩＣＳ情報をシステムコントローラ２０等に入力する。【００３６】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。【００３７】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００３８】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。【００３９】
カメラ６１は、一定の画角を有し、画角内の被写体を撮影する光学機械である。本実施例では、カメラ６１は、車両の前方に向けられ、車両が走行する道路を撮像可能な位置に載置される。そして、カメラ６１は、所定の間隔ごとに画像（「実写画像」と呼ぶ。）を生成し、システムコントローラ２０へ供給する。【００４０】
［案内ルートの表示方法］
次に、システムコントローラ２０が行う案内ルートの表示方法について説明する。概略的には、システムコントローラ２０は、案内ルートのうち、前面にある建物により遮蔽されて運転者が視認できない部分（「遮蔽部分」とも呼ぶ。）を除外した画像を実写画像に重畳表示させる。これにより、システムコントローラ２０は、案内ルートを実写画像に重畳表示させた場合であっても、奥行き感を維持し、運転者に距離感を的確に掴ませる。【００４１】
この処理について、図２を参照して具体的に説明する。図２は、本実施例に係る処理手順を示すフローチャートの一例である。システムコントローラ２０は、図２に示すフローチャートの処理を、例えばカメラ６１から実写画像を受信するごとに繰り返し実行する。なお、図２に示す処理手順は、ＯｐｅｎＧＬ（登録商標）やＤｉｒｅｃｔＸ（登録商標）などの一般的なコンピュータグラフィックスのソフトウェアの処理手順に準じたものであり、これらのソフトウェアにより好適に実行可能である。以下において、「混合（ブレンド）処理」とは、描画されているピクセルの上に、これから描画するもののピクセルの色を混ぜる処理を指す。【００４２】
まず、システムコントローラ２０は、家形情報等をデータ記憶ユニット３６から読み込む（ステップＳ１０１）。具体的には、まず、システムコントローラ２０は、ＧＰＳ受信機１８により認識した現在位置を基準としたカメラ６１の撮影範囲を特定する。このとき、システムコントローラ２０は、例えば、現在位置から車両の進行方向に向かって所定範囲を撮影範囲として特定する。上述の所定範囲は、例えば、カメラ６１の設置位置、設置向き、画角等を勘案して予め定められる。次に、システムコントローラ２０は、地図データを参照することで撮影範囲内に存在する建物を特定すると共に、特定した建物の家形情報及び位置情報を地図データから読み込む。【００４３】
次に、システムコントローラ２０は、３次元座標空間に建物を表す透明なポリゴンを描画し、その後案内ルートを描画する（ステップＳ１０２）。具体的には、まず、システムコントローラ２０は、自車位置を視点とする撮影範囲に対応する３次元座標空間を生成し、当該３次元座標空間中に家形情報から生成したポリゴンを配置する。その後、システムコントローラ２０は、案内ルート上の道路と重なる位置に案内ルートを描画する。言い換えると、システムコントローラ２０は、案内ルートを、案内ルートに対応する道路と同じ奥行きとなる位置、即ち、任意の建物に対して前面であるか背面であるかの判断が当該道路と同一となる位置に描画する。【００４４】
次に、システムコントローラ２０は、３次元座標空間中に描画された建物及び案内ルートをピクセル単位での位置情報及び色情報に変換する処理（即ち、ラスタライズ）を行う（ステップＳ１０３）。具体的には、システムコントローラ２０は、建物を表したポリゴン及び案内ルートが描画された３次元座標空間をカメラ６１の位置から撮影方向に向けて投影させたラスタ画像を生成する。このとき、システムコントローラ２０は、建物のポリゴンと案内ルートとが重畳する部分については、まず建物の表示を描画した上で、後述のステップＳ１０４の奥行判定処理で案内ルートの表示をさらに描画対象とするか否か判定する。そして、システムコントローラ２０は、奥行判定処理により案内ルートを描画対象とすべきと判断した場合にはステップＳ１０５で混合処理を行う。【００４５】
次に、システムコントローラ２０は、案内ルートの描画対象部分及び非描画対象部分を定める奥行判定処理（所謂デプステスト）を行う（ステップＳ１０４）。具体的には、システムコントローラ２０は、ラスタライズされたピクセルごとに、建物の表示と案内ルートの表示とが重なるか否か判定する。そして、建物の表示と案内ルートの表示とが重ならない場合、システムコントローラ２０は、処理対象のピクセルにおいて、案内ルートを描画対象とする。【００４６】
一方、システムコントローラ２０は、処理対象のピクセルにおいて、建物の表示と案内ルートの表示とが重なると判断した場合、さらに、当該建物の表示が当該案内ルートの表示よりも背面にあるか否か判定する。そして、建物の表示が案内ルートの表示よりも背面にある場合には、システムコントローラ２０は、処理対象のピクセルにおいて、案内ルートを描画対象とする。一方、システムコントローラ２０は、建物の表示が案内ルートの表示よりも前面にある場合には、当該案内ルートの表示を、処理対象のピクセルにおいて描画対象外とする。これにより、案内ルートのうち、建物により遮蔽される部分が描画対象外となる。【００４７】
このように、システムコントローラ２０は、奥行判定処理を後述するステップＳ１０５の混合処理より先に行うことで、建物を表すポリゴンを透明に描いた場合であっても、好適に、当該ポリゴンよりも背面にある案内ルートを描画対象から除外することができる。【００４８】
次に、システムコントローラ２０は、混合（ブレンド）処理を行う（ステップＳ１０５）。具体的には、システムコントローラ２０は、既に透明な建物が描画された画像に対し、奥行判定処理にて描画対象に指定された案内ルートの描画対象部分の混合処理を行う。ここで、建物の表示色は透明に指定されているため、結果として、システムコントローラ２０は、案内ルートの描画対象部分のみが表示された画像を生成する。【００４９】
そして、システムコントローラ２０は、混合処理により得られたＣＧ画像（合成画像）を実写画像に重畳してディスプレイ４４に表示する（ステップＳ１０６）。言い換えると、システムコントローラ２０は、実写画像を背景画像として、ＣＧ画像をディスプレイ４４上に表示させる。これにより、システムコントローラ２０は、案内ルートのち、建物によって遮蔽される部分を好適に非表示とすることができ、ＣＧ画像と実写画像とを重畳させた場合であっても、奥行き感を維持し、運転者に距離感を掴ませることができる。【００５０】
［表示例］
次に、図３（Ａ）、（Ｂ）を参照し、本実施例に係る案内ルートの表示態様を具体的に説明する。図３（Ａ）は、車両の走行中にカメラ６１が撮影した実写画像を示し、図３（Ｂ）は、実写画像に対してＣＧ画像である案内ルート４６を重畳させた画像を示す。【００５１】
この場合、図３（Ｂ）に示すように、システムコントローラ２０は、交差点４７で左折すべき旨を示す案内ルート４６をディスプレイ４４上に表示する。具体的には、システムコントローラ２０は、走行予定の道路と重なる位置に、道路幅に応じた太さを有する曲線を、案内ルート４６として描いている。このとき、システムコントローラ２０は、建物４５Ａ乃至４５Ｃの家形情報及び位置情報、並びに、道路４８の位置情報等に基づき、図２に示す処理に従い、建物４５Ａ乃至４５Ｃのポリゴンによる遮蔽部分が除外された案内ルート４６を実写画像に重畳表示する。【００５２】
ここで、交差点４７の通過後に車両が走行する案内ルート上の道路４８は、カメラ６１の視点に対して、建物４５Ａ乃至４５Ｃの背面に存在する。その結果、図３（Ａ）に示す実写画像では、道路４８の一部は、建物４５Ａ乃至４５Ｃにより遮蔽されて非表示となっている。これに対応して、図３（Ｂ）に示す案内ルート４６は、実写画像の道路４８と同様に、建物４５Ａ乃至４５Ｃとの重畳部分が非表示となっている。これにより、ユーザは、建物４５Ａ等の奥にある道路を左折すべきであると容易に把握することができ、右左折すべき道路と近接する建物との位置関係を的確に把握することができる。【００５３】
図４は、建物と案内ルートとの位置関係を考慮せずに案内ルートのＣＧ画像を生成して実写画像に重畳させた比較例に係る表示を示す。図４に示すように、比較例では、建物４５Ａ乃至４５Ｃの一部が案内ルート４６ｘにより重畳されている。その結果、ユーザは、左折道路４８Ｂが建物４５Ａ等の前面又は背面のいずれに存在するか直感的に把握することができない。このように、図４に示す比較例では、ＣＧ画像と実写画像とを重畳させたことにより、奥行き感が失われる。【００５４】
以上を勘案し、本実施例では、システムコントローラ２０は、各建物を仮想的に描いたポリゴンと案内ルートの表示との奥行判定処理を行い、案内ルートのうち建物のポリゴンによる遮蔽部分を非表示とする。これにより、システムコントローラ２０は、ＣＧ画像と実写画像とを重畳させた場合でも、奥行き感が失われるのを好適に防ぐ。【００５５】
［変形例］
以下、上述の実施例に好適な変形例について説明する。以下の変形例は、任意に組み合わせて上述の実施例に適用してもよい。【００５６】
（変形例１）
本発明が適用可能な案内ルートの表示態様は、図３（Ｂ）に示すように走行予定の道路に重ねる表示態様に限定されない。これに代えて、システムコントローラ２０は、案内ルートの表示を、案内ルートに対応する道路と重畳させることなく異なる位置に表示してもよい。【００５７】
図５は、変形例に係る案内ルートの表示例を示す。図５に示すように、システムコントローラ２０は、案内ルート４６ｙを、走行予定道路の上空の位置に上下反転させて表示している。この場合、システムコントローラ２０は、図２のステップＳ１０２において、３次元座標空間中に案内ルート４６ｙを描画する場合、当該案内ルート４６ｙを、案内ルート４６ｙに対応する道路より所定距離だけ上空であって、当該道路と同一の奥行きとなる位置に描画する。その結果、図５に示すように、システムコントローラ２０は、道路４８よりも手前に存在する建物４５Ａと重なる部分が非表示となるように、案内ルート４６ｙを表示している。【００５８】
従って、図５に示す表示態様によっても、ユーザは、建物４５Ａの背面にある道路を左折すべきであると容易に認識することができ、右左折すべき道路と建物との位置関係を的確に把握することができる。【００５９】
（変形例２）
建物による遮蔽部分を非表示する対象は案内ルートに限定されない。これに代えて、又はこれに加えて、ナビゲーション装置１は、案内ルート以外の案内情報についても、同様に、建物によって遮蔽される部分を非表示にしてもよい。ここで、「案内情報」とは、運転を補助するために運転者に視認させる情報を指し、例えば、施設に対応する位置に付される当該施設を示すマーク（「施設マーク」とも呼ぶ。）、目印となるタワーなどの施設（ランドマーク）、渋滞した道路に沿って表示される渋滞線などが該当する。【００６０】
例えば、システムコントローラ２０は、カメラ６１の撮影範囲内にある施設の施設マークを表示する場合、施設マークを対象に、図２のステップＳ１０１乃至ステップＳ１０６の処理を実行する。このとき、システムコントローラ２０は、ステップＳ１０２において、３次元座標空間上で、建物のポリゴンを配置した後、各施設マークを、対応する施設と同一の奥行きとなる表示位置に配置する。このようにすることで、システムコントローラ２０は、施設マークが当該施設マークに対応する施設の前面にある建物に重なって表示されるのを防ぎ、ユーザが施設と施設マークとの対応を誤認するのを確実に抑制することができる。【００６１】
また、好適には、システムコントローラ２０は、案内ルートに従い運転する際の目印として表示する施設マークを表示する場合に限り、本実施例と同様に遮蔽部分の非表示処理を行ってもよい。これにより、システムコントローラ２０は、運転上の目印となる施設の位置を適切に認識させることができる。また、システムコントローラ２０は、他の施設マークについては、遮蔽部分の有無によらず表示することで、立ち寄る施設を探している場合等に容易に目的の施設をユーザに発見させることができる。【００６２】
（変形例３）
図２のフローチャートの処理手順は、一例であり、本発明が適用可能な処理手順は、これに限定されない。例えば、ナビゲーション装置１は、建物の透明なポリゴンを生成することなく、建物の家形情報、位置情報、及び案内ルート上の道路の位置情報等に基づき、案内ルートのうち建物と重なる部分を特定し、当該部分を非表示にした案内ルートの画像を実写画像に重畳させて表示してもよい。その他、使用するソフトウェアの仕様に従い、システムコントローラ２０は、適宜処理の一部の順序を入れ替えて実行してもよい。【００６３】
（変形例４）
図２のステップＳ１０２において、システムコントローラ２０は、建物を表すポリゴンを描画する際に、完全に透明なポリゴンを描画する代わりに、略透明なポリゴンを描画してもよい。例えば、システムコントローラ２０は、実写画像とＣＧ画像を重ねた際に建物を表すポリゴンが目立たない程度に透過率が高いポリゴンを描画してもよい。この場合であっても、実施例と同様に、案内ルートの建物による遮蔽部分を非表示として奥行き感のある表示を出力することができる。【００６４】
（変形例５）
図２のステップＳ１０２において、システムコントローラ２０は、カメラ６１の撮影範囲内に存在する建物のポリゴンを全て描画した。これに代えて、システムコントローラ２０は、撮影範囲内の一部の建物のポリゴンを描画してもよい。具体的には、システムコントローラ２０は、車両の進行方向において、案内ルートに対応する道路の前面に存在する建物のみを対象にポリゴンを生成してもよい。これによっても、システムコントローラ２０は、案内ルートの建物による遮蔽部分を非表示として奥行き感のある表示を出力することができる。
【産業上の利用可能性】
【００６５】
本発明は、カメラにより撮影された実写画像に基づき案内表示を行う装置に好適に適用することができる。
【符号の説明】
【００６６】
１  ナビゲーション装置
１０  自立測位装置
１２  ＧＰＳ受信機
２０  システムコントローラ
２２  ＣＰＵ
３６  データ記憶ユニット
３８  通信装置
４０  表示ユニット
４４  ディスプレイ
【図１】
2013111302.tif 000003
【図２】
2013111302.tif 000004
【図３】
2013111302.tif 000005
【図４】
2013111302.tif 000006
【図５】
2013111302.tif 000007
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
カメラにより撮影した実写画像上に案内情報を重畳させて表示する表示装置であって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、
前記重畳部分のうち、前記案内情報よりも前記建物が前面に表示されるべき遮蔽部分を除外した前記案内情報を、前記実写画像に重畳させて表示する表示制御手段と、
を有し、
前記表示制御手段は、前記実写画像内の施設に対応した位置に、当該施設を示すマークを、前記案内情報として前記実写画像上に重畳させて表示し、
前記表示制御手段は、前記マークのうち、少なくとも経路案内の目印となる前記実写画像内の施設に対して付されるマークについて、前記遮蔽部分を除外して表示することを特徴とする表示装置。
【請求項２】
前記特定手段は、前記建物を当該建物の位置情報及び家形情報に基づき略透明に描画し、かつ、前記案内情報を前記施設又は道路の位置情報に基づき描画することで、前記重畳部分を特定し、
前記表示制御手段は、略透明に描画された建物と、前記遮蔽部分を除外した前記案内情報とを合わせた合成画像を生成し、当該合成画像を前記実写画像に重畳表示させることを特徴とする請求項１に記載の表示装置。
【請求項３】
前記表示制御手段は、前記合成画像を生成する場合、前記案内情報より先に略透明な建物を描画し、その後、前記重畳部分のうち、前記遮蔽部分以外の部分を対象に、略透明に描画した建物と前記案内情報との色の混合処理を行うことを特徴とする請求項２に記載の表示装置。
【請求項４】
前記表示制御手段は、移動体が走行すべきルートを、前記案内情報として前記実写画像上に重畳させて表示することを特徴とする請求項１乃至３のいずれか一項に記載の表示装置。
【請求項５】
前記表示制御手段は、前記ルートの表示を、当該ルートに対応する道路の上空の位置に上下反転させて表示することを特徴とする請求項４に記載の表示装置。
【請求項６】
前記表示制御手段は、前記マークのうち、経路案内の目印となる前記実写画像内の施設に対して付されるマークのみについて、前記遮蔽部分を除外して表示することを特徴とする請求項１乃至５のいずれか一項に記載の表示装置。
【請求項７】
カメラにより撮影した実写画像上に案内情報を重畳させて表示する表示装置が実行する制御方法であって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定工程と、
前記重畳部分のうち、前記案内情報よりも前記建物が前面に表示されるべき遮蔽部分を除外した前記案内情報を、前記実写画像に重畳させて表示する表示制御工程と、
を有し、
前記表示制御工程は、前記実写画像内の施設に対応した位置に、当該施設を示すマークを、前記案内情報として前記実写画像上に重畳させて表示し、
前記表示制御工程は、前記マークのうち、少なくとも経路案内の目印となる前記実写画像内の施設に対して付されるマークについて、前記遮蔽部分を除外して表示することを特徴とする制御方法。
【請求項８】
カメラにより撮影した実写画像上に案内情報を重畳させて表示する表示装置が実行するプログラムであって、
撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、
前記重畳部分のうち、前記案内情報よりも前記建物が前面に表示されるべき遮蔽部分を除外した前記案内情報を、前記実写画像に重畳させて表示する表示制御手段
として前記表示装置を機能させ、
前記表示制御手段は、前記実写画像内の施設に対応した位置に、当該施設を示すマークを、前記案内情報として前記実写画像上に重畳させて表示し、
前記表示制御手段は、前記マークのうち、少なくとも経路案内の目印となる前記実写画像内の施設に対して付されるマークについて、前記遮蔽部分を除外して表示することを特徴とするプログラム。
【請求項９】
請求項８に記載のプログラムを記憶したことを特徴とする記憶媒体。
【手続補正２】
【補正対象書類名】明細書
【補正対象項目名】０００６
【補正方法】変更
【補正の内容】
【０００６】
請求項１に記載の発明では、カメラにより撮影した実写画像上に案内情報を重畳させて表示する表示装置であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき遮蔽部分を除外した前記案内情報を、前記実写画像に重畳させて表示する表示制御手段と、を有し、前記表示制御手段は、前記実写画像内の施設に対応した位置に、当該施設を示すマークを、前記案内情報として前記実写画像上に重畳させて表示し、前記表示制御手段は、前記マークのうち、少なくとも経路案内の目印となる前記実写画像内の施設に対して付されるマークについて、前記遮蔽部分を除外して表示することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項７に記載の発明では、カメラにより撮影した実写画像上に案内情報を重畳させて表示する表示装置が実行する制御方法であって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定工程と、前記重畳部分のうち、前記案内情報よりも前記建物が前面に表示されるべき遮蔽部分を除外した前記案内情報を、前記実写画像に重畳させて表示する表示制御工程と、を有し、前記表示制御工程は、前記実写画像内の施設に対応した位置に、当該施設を示すマークを、前記案内情報として前記実写画像上に重畳させて表示し、前記表示制御工程は、前記マークのうち、少なくとも経路案内の目印となる前記実写画像内の施設に対して付されるマークについて、前記遮蔽部分を除外して表示することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項８に記載の発明では、カメラにより撮影した実写画像上に案内情報を重畳させて表示する表示装置が実行するプログラムであって、撮影位置と、前記カメラの撮影範囲に存在する建物の位置情報及び家形情報と、案内情報に対応する施設又は道路の位置情報とに基づき、前記案内情報と前記実写画像中の建物との重畳部分を特定する特定手段と、前記重畳部分のうち、前記案内情報よりも前記建物が前面に表示されるべき遮蔽部分を除外した前記案内情報を、前記実写画像に重畳させて表示する表示制御手段として前記表示装置を機能させ、前記表示制御手段は、前記実写画像内の施設に対応した位置に、当該施設を示すマークを、前記案内情報として前記実写画像上に重畳させて表示し、前記表示制御手段は、前記マークのうち、少なくとも経路案内の目印となる前記実写画像内の施設に対して付されるマークについて、前記遮蔽部分を除外して表示することを特徴とする。
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
実写画像上に案内情報を重畳させて表示する表示装置であって、
前記案内情報と前記実写画像中の有体物との重畳部分を特定する特定手段と、
前記重畳部分のうち、前記案内情報よりも前記有体物が前面に表示されるべき遮蔽部分を除外した前記案内情報を、前記実写画像に重畳させて表示する表示制御手段と、
を有し、
前記表示制御手段は、前記実写画像内の施設を示すマークを、前記案内情報として前記実写画像上に重畳させて表示し、
前記表示制御手段は、前記マークのうち、経路案内の目印となるマークについて、前記遮蔽部分を除外して表示し、前記経路案内の目印となるマーク以外のマークについては、前記遮蔽部分を除外せずに表示することを特徴とする表示装置。
【請求項２】
前記有体物は建物であり、
前記特定手段は、前記建物を当該建物の位置情報及び家形情報に基づき略透明に描画し、かつ、前記案内情報を前記施設又は道路の位置情報に基づき描画することで、前記重畳部分を特定し、
前記表示制御手段は、略透明に描画された建物と、前記遮蔽部分を除外した前記案内情報とを合わせた合成画像を生成し、当該合成画像を前記実写画像に重畳表示させることを特徴とする請求項１に記載の表示装置。
【請求項３】
前記表示制御手段は、前記合成画像を生成する場合、前記案内情報より先に略透明な建物を描画し、その後、前記重畳部分のうち、前記遮蔽部分以外の部分を対象に、略透明に描画した建物と前記案内情報との色の混合処理を行うことを特徴とする請求項２に記載の表示装置。
【請求項４】
前記表示制御手段は、移動体が走行すべきルートを、前記案内情報として前記実写画像上に重畳させて表示することを特徴とする請求項１乃至３のいずれか一項に記載の表示装置。
【請求項５】
前記表示制御手段は、前記ルートの表示を、当該ルートに対応する道路の上空の位置に上下反転させて表示することを特徴とする請求項４に記載の表示装置。
【請求項６】
実写画像上に案内情報を重畳させて表示する表示装置が実行する制御方法であって、
前記案内情報と前記実写画像中の有体物との重畳部分を特定する特定工程と、
前記重畳部分のうち、前記案内情報よりも前記有体物が前面に表示されるべき遮蔽部分を除外した前記案内情報を、前記実写画像に重畳させて表示する表示制御工程と、
を有し、
前記表示制御工程は、前記実写画像内の施設を示すマークを、前記案内情報として前記実写画像上に重畳させて表示し、
前記表示制御工程は、前記マークのうち、経路案内の目印となるマークについて、前記遮蔽部分を除外して表示し、前記経路案内の目印となるマーク以外のマークについては、前記遮蔽部分を除外せずに表示することを特徴とする制御方法。
【請求項７】
実写画像上に案内情報を重畳させて表示する表示装置が実行するプログラムであって、
前記案内情報と前記実写画像中の有体物との重畳部分を特定する特定手段と、
前記重畳部分のうち、前記案内情報よりも前記有体物が前面に表示されるべき遮蔽部分を除外した前記案内情報を、前記実写画像に重畳させて表示する表示制御手段
として前記表示装置を機能させ、
前記表示制御手段は、前記実写画像内の施設を示すマークを、前記案内情報として前記実写画像上に重畳させて表示し、
前記表示制御手段は、前記マークのうち、経路案内の目印となるマークについて、前記遮蔽部分を除外して表示し、前記経路案内の目印となるマーク以外のマークについては、前記遮蔽部分を除外せずに表示することを特徴とするプログラム。
【請求項８】
請求項７に記載のプログラムを記憶したことを特徴とする記憶媒体。
【手続補正２】
【補正対象書類名】明細書
【補正対象項目名】０００６
【補正方法】変更
【補正の内容】
【０００６】
請求項１に記載の発明では、実写画像上に案内情報を重畳させて表示する表示装置であって、前記案内情報と前記実写画像中の有体物との重畳部分を特定する特定手段と、前記重畳部分のうち、前記案内情報よりも前記有体物が前面に表示されるべき遮蔽部分を除外した前記案内情報を、前記実写画像に重畳させて表示する表示制御手段と、を有し、前記表示制御手段は、前記実写画像内の施設を示すマークを、前記案内情報として前記実写画像上に重畳させて表示し、前記表示制御手段は、前記マークのうち、経路案内の目印となるマークについて、前記遮蔽部分を除外して表示し、前記経路案内の目印となるマーク以外のマークについては、前記遮蔽部分を除外せずに表示することを特徴とする。
【手続補正３】
【補正対象書類名】明細書
【補正対象項目名】０００８
【補正方法】変更
【補正の内容】
【０００８】
請求項６に記載の発明では、実写画像上に案内情報を重畳させて表示する表示装置が実行する制御方法であって、前記案内情報と前記実写画像中の有体物との重畳部分を特定する特定工程と、前記重畳部分のうち、前記案内情報よりも前記有体物が前面に表示されるべき遮蔽部分を除外した前記案内情報を、前記実写画像に重畳させて表示する表示制御工程と、を有し、前記表示制御工程は、前記実写画像内の施設を示すマークを、前記案内情報として前記実写画像上に重畳させて表示し、前記表示制御工程は、前記マークのうち、経路案内の目印となるマークについて、前記遮蔽部分を除外して表示し、前記経路案内の目印となるマーク以外のマークについては、前記遮蔽部分を除外せずに表示することを特徴とする。
【手続補正４】
【補正対象書類名】明細書
【補正対象項目名】００１０
【補正方法】変更
【補正の内容】
【００１０】
請求項７に記載の発明では、実写画像上に案内情報を重畳させて表示する表示装置が実行するプログラムであって、前記案内情報と前記実写画像中の有体物との重畳部分を特定する特定手段と、前記重畳部分のうち、前記案内情報よりも前記有体物が前面に表示されるべき遮蔽部分を除外した前記案内情報を、前記実写画像に重畳させて表示する表示制御手段として前記表示装置を機能させ、前記表示制御手段は、前記実写画像内の施設を示すマークを、前記案内情報として前記実写画像上に重畳させて表示し、前記表示制御手段は、前記マークのうち、経路案内の目印となるマークについて、前記遮蔽部分を除外して表示し、前記経路案内の目印となるマーク以外のマークについては、前記遮蔽部分を除外せずに表示することを特徴とする。
【国際調査報告】
2013111302.tif 000008
2013111302.tif 000009
2013111302.tif 000010
2013111302.tif 000011